(57)【要約】【課題】嵌合初期から接地端子同士の接続が得られ、ループ回路等が生ずることがなく、雑音の発生を抑えることが可能なコネクタを提供する。【解決手段】３極プラグ部２と電源用端子部３とを備えたコネクタである。３極プラグ部２の基端部側の２つの電極５，６が、縦割り型とされており、その一方６が接地電極である。縦割り型とされた２つの電極５，６は、挿入方向においてプラグの周面に臨む電極が変わることはなく、ジャック８へ挿入した際に、縦割りとされた一方の電極６のみが常にこれに対応する接点と接触することになる。【選択図】  図１
2004327316.tif 000002
【特許請求の範囲】
【請求項１】
３極プラグ部と電源用端子部とを備えたコネクタにおいて、
前記３極プラグ部の基端部側の少なくとも２つの電極が、縦割り型とされていることを特徴とするコネクタ。
【請求項２】
前記縦割り型の電極のうちの１の電極は接地電極であり、他の１の電極は音声信号用電極であることを特徴とする請求項１記載のコネクタ。
【請求項３】
前記電源用端子部との一体化により、前記縦割り型の電極の配置が一義的に決まることを特徴とする請求項１記載のコネクタ。
【発明の詳細な説明】
【０００１】
【発明の属する技術分野】
本発明は、例えばＣＤプレーヤやＭＤプレーヤ等において、電子機器本体とリモコン等とを接続するために使用されるコネクタに関するものであり、特に、例えば３極プラグ部と電源用端子部とが一体化された多極コネクタに関するものである。
【０００２】
【従来の技術】
各種音響映像機器、パソコン、テレビゲーム、通信機器等の電子機器類間を接続するために、ＤＩＮコネクタやＤサブコネクタ等の多極コネクタが広く用いられている。
【０００３】
図３は、従来の多極コネクタ（９極コネクタ）及びジャックの一例を示すものである。この多極コネクタ１０１は、３極プラグ部１０２と、電源用端子部１０３とから構成されており、３極プラグ部１０２において、例えばオーディオ信号の授受が行われる。電源用端子部１０３は、電子機器本体の電源からの電力を例えばリモコンに供給するものであり、リモコンの操作情報等もこの電源用端子部１０３を介して電子機器本体側に伝達される。
【０００４】
３極プラグ部１０２には、通常、先端から順に３つの電極が設けられており、例えば先端電極１０４、第１のリング電極１０５、第２のリング電極１０６とから構成され、これらが絶縁体１０７によって電気的に分離されている。ここで、例えば、先端電極１０４はオーディオ信号の右チャンネル（Ｒ−ｃｈ）用、第１のリング電極１０５はオーディオ信号の左チャンネル（Ｌ−ｃｈ）用、第２のリング電極１０６は接地（ＧＮＤ）用である。
【０００５】
ジャック１０８には、前記３極プラグ部１０２の各電極に対応して接点が設けられており、これらに３極プラグ部１０２の各電極が接触することで電気的な導通が図られる。例えば、先端電極１０４に対応してＲ−ｃｈ用接点１０９が、第１のリング電極１０５に対応してＬ−ｃｈ用接点１１０が、第２のリング電極１０６に対応してＧＮＤ接点１１１が設けられている。
【０００６】
多極コネクタとしては、その他、例えば特許文献１に記載されるような多極（６極）プラグ等も知られている。
【０００７】
【特許文献１】
特開２００２−１３４２３７号公報
【０００８】
【発明が解決しようとする課題】
しかしながら、このようなリング電極を先端から順に配列したいわゆる縦配列構造を採用した場合、プラグをジャックに嵌合する際に、関係のない端子が接点と接触し、雑音等の発生の原因となっている。特に、３極プラグのＧＮＤ端子やジャックのＧＮＤ接点が他の端子（接点）と接触すると、ループ回路が形成され、雑音が発生する。
【０００９】
具体的には、３極プラグ部１０２をジャック１０８に挿入した場合、図３に示すように、挿入に伴って、３極プラグ部１０２の第１のリング電極１０５がジャック１０８のＧＮＤ接点１１１と接触し、さらに押し込むことで３極プラグ部１０２のＧＮＤ端子（第２のリング電極１０６）がはじめてジャック１０８のＧＮＤ接点１１１と接触する。３極プラグ部１０２の第１のリング電極１０５がジャック１０８のＧＮＤ接点１１１と接触すると、ループ回路が形成され、雑音が発生することになる。したがって、コネクタ１０１の装着、あるいは引き抜きのたびに雑音が発生することになり、使用者に不快感を与えることになる。
【００１０】
本発明は、このような従来のものの有する欠点を解消するために提案されたものであり、嵌合初期から接地端子同士の接続が得られ、ループ回路等が生ずることがなく、雑音の発生を抑えることが可能なコネクタを提供することを目的とする。
【００１１】
【課題を解決するための手段】
上述の目的を達成するために、本発明のコネクタは、３極プラグ部と電源用端子部とを備えたコネクタにおいて、前記３極プラグ部の基端部側の少なくとも２つの電極が、縦割り型とされていることを特徴とするものである。また、ここで、前記縦割り型の電極のうちの一方は接地電極である。
【００１２】
リング電極を先端から順に配列したいわゆる縦配列構造のコネクタでは、挿入方向において複数の電極が配列されており、挿入位置によりプラグの周面に臨む電極が異なり、したがってジャック側の所定の接点に接する電極が異なることになる。これに対して、本発明のコネクタにおいては、基端部側の２つの電極が、縦割り型とされているので、挿入方向においてプラグの周面に臨む電極が変わることはなく、ジャックへ挿入した際に、縦割りとされた一方の電極のみが常にこれに対応する接点と接触することになる。したがって、例えば３極プラグ部やこれが装着されるジャックのＧＮＤ端子（接点）が他の端子（接点）と接触することはなく、雑音の発生が解消される。
【００１３】
【発明の実施の形態】
以下、本発明を適用したコネクタについて、図面を参照しながら詳細に説明する。
【００１４】
図１は、本発明を適用した多極コネクタ（９極コネクタ）の一例を示すものである。この多極コネクタ１は、３極プラグ部２と、電源用端子部３とから構成されており、３極プラグ部２において、例えばオーディオ信号の授受が行われる。電源用端子部３は、電子機器本体の電源からの電力を例えばリモコンに供給するものであり、リモコンの操作情報等もこの電源用端子部３を介して電子機器本体側に伝達される。
【００１５】
３極プラグ部２には、通常、先端から順に３つの電極が設けられており、例えば先端電極４と、縦割りされた２つの電極、すなわち第１の縦割り電極５、第２の縦割り電極６とから構成され、これらが絶縁体７によって電気的に分離されている。ここで、例えば、先端電極４はオーディオ信号の右チャンネル（Ｒ−ｃｈ）用、第１の縦割り電極５はオーディオ信号の左チャンネル（Ｌ−ｃｈ）用、第２の縦割り電極６は接地（ＧＮＤ）用である。
【００１６】
ここで、第１の縦割り電極５と第２の縦割り電極６とは、３極プラグ部２の周面に設けられたスリーブ状の電極を縦に２つ割りにした形状を有し、円弧状の断面を有する略々半円筒形状を有する電極である。なお、縦割り型とする電極の数は、本例のように２つに限らず、縦割りにより３以上の複数の電極に分割するようにしてもよい。
【００１７】
このような縦割り電極を採用した場合、３極プラグ部２が装着されるジャック内で自由に回転することができると、対応する接点に第１の縦割り電極５と第２の縦割り電極６のいずれもが接触する可能性が生じ、ループ回路が発生する虞れがある。しかしながら、本実施形態のコネクタ１では、この３極プラグ部２が電源用端子部３と一体化されているので、このような不都合が解消される。
【００１８】
すなわち、３極プラグ部２と電源用端子部３と一体化した場合、３極プラグ部２は自由に回転することができず、電源用端子部３の取り付け方向によって３極プラグ２のジャックへの取り付け方向も決まる。本例の場合、図１に示した通り、縦割り電極のうちの第１の縦割り電極５は図中上側に、第２の縦割り電極６は図中下側に位置し、その方向は変わることはない。電源用端子部３によって、これら第１の縦割り電極５及び第２の縦割り電極６のジャックへ挿入の際の方向は一義的に決まる。
【００１９】
なお、前記先端電極４と縦割りされた２つの電極、すなわち第１の縦割り電極５及び第２の縦割り電極６との間、及び縦割りされた第１の縦割り電極５及び第２の縦割り電極６の間は、それぞれ絶縁体７により電気的に分離されている。
【００２０】
一方、ジャック８には、前記３極プラグ部２の各電極に対応して接点が設けられており、これらに３極プラグ部２の各電極が接触することで電気的な導通が図られる。例えば、先端電極４に対応してＲ−ｃｈ用接点９が、第１の縦割り電極５に対応してＬ−ｃｈ用接点１０が、第２の縦割り電極６に対応してＧＮＤ用接点１１が設けられている。さらに、前記電源用端子部３に対応した接続部１２も設けられている。
【００２１】
前記ジャック８にコネクタ１を装着する場合、接続部１２に電源用端子部３が接続されるとともに、３極プラグ部２がジャック８へと挿入される。このとき、電源用端子部３の接続部１２への接続に伴い、３極プラグ部２は一定の方向でジャック８に挿入され、第１の縦割り電極５は図中上側、第２の縦割り電極６は図中下側に配置されて挿入される。
【００２２】
したがって、ジャック８への３極プラグ部２の挿入時には、ジャック８のＬ−ｃｈ用接点１０には第１の縦割り電極５が常に接触し、ＧＮＤ用接点１１には接地電極である第２の縦割り電極６が常に接触する。
【００２３】
このように、本発明のコネクタ１では、ジャック８への嵌合初期からＧＮＤ用接点１１に対してＧＮＤ端子である第２の縦割り電極６の接続が得られ、この結果、ループ回路等が生ずることがなく、雑音発生を確実に抑えることができる。
【００２４】
【発明の効果】
以上、詳細に説明したように、本発明によれば、嵌合初期から接地端子同士の接続が得られ、ループ回路等が生ずることがなく、雑音の発生を抑えることが可能なコネクタを提供することができる。
【図面の簡単な説明】
【図１】本発明を適用したコネクタの要部概略側面図である。
【図２】本発明を適用したコネクタのジャックへの装着状態を示す断面図である。
【図３】従来のコネクタのジャックへの装着状態を示す断面図である。
【符号の説明】
１        コネクタ
２        ３極プラグ部
３        電源用端子部
４        先端電極
５        第１の縦割り電極
６        第２の縦割り電極
７        絶縁体
８        ジャック
９        Ｒ−ｃｈ用接点
１０      Ｌ−ｃｈ用接点
１１      ＧＮＤ用接点
【図１】
2004327316.tif 000003
【図２】
2004327316.tif 000004
【図３】
2004327316.tif 000005